(57)【要約】  本発明は、血液分析装置に関し、血液から血漿を分離するメンブレン、前記メンブレンが分離した血漿が入ってくるチャネル、前記チャネルの一面に接して、前記チャネルを流れる血漿が接する電極を含む電極部、および前記電極部が接する前記チャネルの一面の反対面に接するチャネルカバーを含み、前記電極部または前記チャネルカバーのうちいずれか一つが前記メンブレンと接している場合、前記メンブレンの一部が前記電極部または前記チャネルカバーの上部を覆うようにすることを特徴とし、メンブレンの一部がチャネルカバーまたは電極部の上部を覆うことによって、前記メンブレンを通過する血漿が前記メンブレンと前記電極部または前記チャネルカバーが接触した空間に流れないようにすることができる。
2021519939.tif 000002
【特許請求の範囲】
【請求項１】
血液から血漿を分離するメンブレン、
前記メンブレンが分離した血漿が入ってくるチャネル、
前記チャネルの下部に接して、前記チャネルを流れる血漿が接する電極を含む電極部、および
前記チャネルの上部の一部を覆うチャネルカバーを含み、
前記メンブレンの一部が前記チャネルカバーの一部を覆うようにすることを特徴とする血液分析装置。
【請求項２】
前記メンブレンが前記チャネルカバーと接する面の下部にキャビティが形成されることを特徴とする、請求項１に記載の血液分析装置。
【請求項３】
前記メンブレンは不均一な大きさの孔隙で構成され、
前記チャネルカバーと隣接した前記メンブレンの面には孔隙を形成しないかまたは前記メンブレンにおいて最も小さく形成されることを特徴とする、請求項１に記載の血液分析装置。
【請求項４】
前記メンブレンと前記チャネルの下部面との間を連結するピラーをさらに含み、前記ピラーが前記メンブレンに接する部分を一定高さだけ押し上げることを特徴とする、請求項１に記載の血液分析装置。
【請求項５】
前記メンブレンと前記チャネルの接触面の上部または下部に血漿が接する第１検出電極を配置することを特徴とする、請求項１に記載の血液分析装置。
【請求項６】
前記チャネルカバーと前記チャネルとの間に血漿移動用電極と絶縁体とをさらに含み、
前記第１検出電極に血漿が接し、一定時間後に第２検出電極に血漿が到達しなかった場合、前記血漿移動用電極の極性を変化させて前記チャネル内の血漿を移動させることを特徴とする、請求項５に記載の血液分析装置。
【請求項７】
前記チャネルと前記電極部の接触面の上部または下部に血漿移動用電極をさらに含み、
前記第１検出電極に血漿が接し、一定時間後に第２検出電極に血漿が到達しなかった場合、前記血漿移動用電極の極性を変化させて前記チャネル内の血漿を移動させることを特徴とする、請求項５に記載の血液分析装置。
【請求項８】
前記チャネルの左側面または右側面に血漿移動用電極をさらに含み、
前記血漿移動用電極の極性を変化させて前記チャネル内の血漿を移動させることを特徴とする、請求項５に記載の血液分析装置。
【請求項９】
血液から血漿を分離するメンブレン、
前記メンブレンが分離した血漿が入ってくるチャネル、
前記チャネルの上部の一部に接して、前記チャネルを流れる血漿が接する電極を含む電極部、および
前記チャネルの下部を覆うチャネルカバーを含み、
前記メンブレンの一部が前記電極部の上部の一部を覆うようにすることを特徴とする血液分析装置。
【請求項１０】
前記メンブレンが前記電極部と接する面の下部にキャビティが形成されることを特徴とする、請求項９に記載の血液分析装置。
【請求項１１】
前記メンブレンは不均一な大きさの孔隙で構成され、
前記電極部と隣接した前記メンブレンの面には孔隙を形成しないかまたは前記メンブレンにおいて最も小さく形成されることを特徴とする、請求項９に記載の血液分析装置。
【請求項１２】
前記メンブレンと前記チャネルの下部面との間を連結するピラーをさらに含み、前記ピラーが前記メンブレンに接する部分を一定高さだけ押し上げることを特徴とする、請求項９に記載の血液分析装置。
【請求項１３】
前記メンブレンと前記チャネルの接触面の上部または下部に血漿が接する第１検出電極を配置することを特徴とする、請求項９に記載の血液分析装置。
【請求項１４】
前記チャネルと前記チャネルカバーとの間に血漿移動用電極と絶縁体とをさらに含み、
前記第１検出電極に血漿が接し、一定時間後に第２検出電極に血漿が到達しなかった場合、前記血漿移動用電極の極性を変化させて前記チャネル内の血漿を移動させることを特徴とする、請求項１３に記載の血液分析装置。
【請求項１５】
前記チャネルの左側面または右側面に血漿移動用電極をさらに含み、
前記血漿移動用電極の極性を変化させて前記チャネル内の血漿を移動させることを特徴とする、請求項１３に記載の血液分析装置。
【発明の詳細な説明】
【技術分野】
【０００１】
本発明は、血液分析装置に関し、より詳しくは、メンブレンの一部がチャネルカバーまたは電極部の上部を覆うことによって、前記メンブレンを通過する血漿が前記メンブレンと前記電極部または前記メンブレンと前記チャネルカバーとの間の空間に流れないようにする血液分析装置に関する。
【背景技術】
【０００２】
ラボオンチップ（Ｌａｂ  ｏｎ  ａ  Ｃｈｉｐ）技術は、バイオチップを製作する技術の一種である。プラスチックやガラスまたはケイ素（シリコン）などを材料として用いてナノ通路を作り、この通路に極微量の試料を流して実験を迅速に行うことができるようにする。１滴の血の量は３〜４ｃｃであり、その３００万分の１に該当する量だけで癌患者の白血球数値を測定することができる。
【０００３】
血液により診断できるものは、血糖、貧血、コレステロール、心筋梗塞、肝機能、および癌などである。
【０００４】
血糖は、血液に含まれたブドウ糖の量を意味し、最近、糖尿病患者の増加により、重要な検査数値として用いられる。また、赤血球数、血色素、ヘマトクリットなどを確認すれば貧血有無を判断することができる。
【０００５】
心臓筋肉内にはＡＳＴ、ＣＰＫ、ＬＤＨのような種々の酵素が含まれており、Ｔｒｏｐｏｎｉｎ−Ｉ、Ｔｒｏｐｏｎｉｎ−Ｔのようなタンパク質も含まれている。心筋梗塞により心臓筋肉が壊死を起こせば、これらの酵素とタンパク質が血液内に流れ出るようになり、壊死を起こした範囲が広いほど、血液内に流出する酵素とタンパク質の量も増加する。この中、急性心筋梗塞の発生時、最も速く血液内で上昇するのがＣＫ−ＭＢであり、その次がＡＳＴ、最後に上昇するのがＬＤＨである。ＡＳＴ、ＣＰＫ、ＬＤＨのような酵素は心臓筋肉にも存在するが、他の臓器にも存在するため、これらの酵素が増加した時、必ずしも心筋梗塞のために増加したとは言えないが、胸痛があり、且つ、これらの酵素が増加したのであれば、心筋梗塞によって発生したと推定することができる。Ｔｒｏｐｏｎｉｎ−Ｉやｔｒｏｐｏｎｉｎ−Ｔは他の臓器には存在しないタンパク質であるため、血液からこれらのタンパク質が発見されれば、心臓筋肉に損傷があることを意味し、心筋梗塞の診断に役立つ。
【０００６】
一方、血液内に存在するタンパク質を分析して癌を診断する方法が紹介されている。一例として、癌細胞から発現されて細胞外に分泌されるリボソームタンパク質Ｓ３（ｒｐＳ３）を用いた癌診断方法がある。また他の例として、癌発生と関係のある糖タンパク質から酵素を用いる加水分解過程を通じてペプチドを得て、癌発生に応じた特異的な定量的変化を示すグリコシル化関連の特異ペプチドを選別した後、前記選別されたグリコシル化関連の特異ペプチドをマーカーとして用いて癌を診断する方法が紹介されている。
【０００７】
他の一方で、上記のように血糖、貧血、コレステロール、心筋梗塞、肝機能、および癌などを血液から診断するためのバイオチップが開発されている状況下、バイオチップのメンブレンを通して血液から血球成分を分離した血漿成分の回収率を高め、抗原／抗体反応を極大化して診断チップの感度を向上させる方法が必要な実情である。
【０００８】
文献１（ＫＲ１０−１０４６１５６  Ｂ１）によれば、メンブレンの各エッジが、上部基板と下部基板が接合した構造物に最大限に非接触するようにして、ロードされた血液が所望しない方向に漏れるのを防止しているが、これより簡単な構造で血液漏れを効果的に防止する必要がある。
【発明の概要】
【発明が解決しようとする課題】
【０００９】
本発明が解決しようとする第１課題は、メンブレンの一部がチャネルカバーまたは電極部の上部を覆うことによって、前記メンブレンを通過する血漿が前記メンブレンと前記電極部または前記メンブレンと前記チャネルカバーとの間の空間に流れないようにする血液分析装置を提供することである。
【００１０】
本発明が解決しようとする第２課題は、メンブレンを経てチャネルを流れる血漿の位置を検出できる血液分析装置を提供することである。
【課題を解決するための手段】
【００１１】
本発明は、前記第１課題を達成するために、血液から血漿を分離するメンブレン、前記メンブレンが分離した血漿が入ってくるチャネル、前記チャネルの下部に接して、前記チャネルを流れる血漿が接する電極を含む電極部、および前記チャネルの上部の一部を覆うチャネルカバーを含み、前記メンブレンの一部が前記チャネルカバーの一部を覆うようにすることを特徴とする血液分析装置を提供する。
【００１２】
本発明の一実施形態によれば、前記メンブレンが前記チャネルカバーと接する面の下部にキャビティが形成されることが好ましい。
【００１３】
また、前記メンブレンは不均一な大きさの孔隙で構成され、前記チャネルカバーと隣接した前記メンブレンの面には孔隙を形成しないかまたは前記メンブレンにおいて最も小さく形成されてもよい。
【００１４】
本発明の他の実施形態によれば、前記メンブレンと前記チャネルの下部面との間を連結するピラーをさらに含み、前記ピラーが前記メンブレンに接する部分を一定高さだけ押し上げることが好ましい。
【００１５】
また、前記メンブレンと前記チャネルの接触面の上部または下部に血漿が接する第１検出電極を配置してもよい。
【００１６】
本発明のまた他の実施形態によれば、前記チャネルカバーと前記チャネルとの間に血漿移動用電極と絶縁体とをさらに含み、前記第１検出電極に血漿が接し、一定時間後に第２検出電極に血漿が到達しなかった場合、前記血漿移動用電極の極性を変化させて前記チャネル内の血漿を移動させることが好ましい。
【００１７】
また、前記チャネルと前記電極部の接触面の上部または下部に血漿移動用電極をさらに含み、前記第１検出電極に血漿が接し、一定時間後に第２検出電極に血漿が到達しなかった場合、前記血漿移動用電極の極性を変化させて前記チャネル内の血漿を移動させてもよい。
【００１８】
本発明の他の実施形態によれば、前記チャネルの左側面または右側面に血漿移動用電極をさらに含み、前記血漿移動用電極の極性を変化させて前記チャネル内の血漿を移動させてもよい。
【００１９】
本発明は、前記第２課題を達成するために、血液から血漿を分離するメンブレン、前記メンブレンが分離した血漿が入ってくるチャネル、前記チャネルの上部の一部に接して、前記チャネルを流れる血漿が接する電極を含む電極部、および前記チャネルの下部を覆うチャネルカバーを含み、前記メンブレンの一部が前記電極部の上部の一部を覆うようにすることを特徴とする血液分析装置を提供する。
【００２０】
本発明の一実施形態によれば、前記メンブレンが前記電極部と接する面の下部にキャビティが形成されることが好ましい。
【００２１】
また、前記メンブレンは不均一な大きさの孔隙で構成され、前記電極部と隣接した前記メンブレンの面には孔隙を形成しないかまたは前記メンブレンにおいて最も小さく形成されてもよい。
【００２２】
本発明の他の実施形態によれば、前記メンブレンと前記チャネルの下部面との間を連結するピラーをさらに含み、前記ピラーが前記メンブレンに接する部分を一定高さだけ押し上げることが好ましい。
【００２３】
また、前記メンブレンと前記チャネルの接触面の上部または下部に血漿が接する第１検出電極を配置してもよい。
【００２４】
本発明のまた他の実施形態によれば、前記チャネルと前記チャネルカバーとの間に血漿移動用電極と絶縁体とをさらに含み、前記第１検出電極に血漿が接し、一定時間後に第２検出電極に血漿が到達しなかった場合、前記血漿移動用電極の極性を変化させて前記チャネル内の血漿を移動させることが好ましい。
【００２５】
また、前記チャネルの左側面または右側面に血漿移動用電極をさらに含み、前記血漿移動用電極の極性を変化させて前記チャネル内の血漿を移動させてもよい。
【発明の効果】
【００２６】
本発明によれば、メンブレンの一部がチャネルカバーまたは電極部の上部を覆うことによって、前記メンブレンを通過する血漿が前記メンブレンと前記電極部または前記メンブレンと前記チャネルカバーとの間の空間に流れないようにすることができる。
【００２７】
また、本発明によれば、メンブレンを経てチャネルを流れる血漿の位置を検出することができる。さらに、本発明によれば、チャネル内を流れる血漿を、血漿移動用電極を用いて検出電極方向に能動的に移動させることができる。
【図面の簡単な説明】
【００２８】
【図１】本発明の好ましい一実施形態による血液分析装置の構成図である。
【図２】本発明の好ましい一実施形態による血漿分離部１１０と血漿誘導部１２０の細部構成を示すものである。
【図３】本発明の好ましい他の実施形態による血漿分離部１１０と血漿誘導部１２０の細部構成を示すものである。
【図４】本発明の一実施形態によるメンブレン１１３を拡大して示すものである。
【図５】本発明の好ましい一実施形態による固定型血液注入部１００の細部構成を示すものである。
【図６】本発明の好ましい他の実施形態による固定型血液注入部１００の細部構成を示すものである。
【図７】本発明の好ましいまた他の実施形態による回転型血液注入部１００の細部構成を示すものである。
【図８】図７に示された回転型血液注入部１００を用いてメンブレン１１３に血液を供給する過程を示すものである。
【図９】毛細管ホルダー５１０がメンブレン１１３の上部面と４５度傾いている状態を示すものである。
【図１０】毛細管部５００なしに毛細管ホルダー５１０の内部を親水コーティングして血液を注入する血液注入部１００を示すものである。
【図１１】本発明の好ましい一実施形態による血漿誘導部１２０に含まれた検出電極（ＤＥ１、ＤＣＥ、ＷＥ、ＣＥ、ＤＥ２）を示すものである。
【図１２】本発明の好ましい一実施形態による血漿誘導部１２０に含まれた血漿移動用電極（ＰＴＥ）を図１１にさらに示すものである。
【図１３】図１２（ａ）に示されたＰＴＥの一部（Ａ）を拡大して示すものである。
【図１４】本発明の好ましい他の実施形態による血漿誘導部１２０に含まれた血漿移動用電極（ＰＴＥ）を図１１にさらに示すものである。
【図１５】本発明の好ましい一実施形態による血液分析方法のフローチャートである。
【発明を実施するための形態】
【００２９】
本発明は、前記第１課題を達成するために、血液から血漿を分離するメンブレン、前記メンブレンが分離した血漿が入ってくるチャネル、前記チャネルの下部に接して、前記チャネルを流れる血漿が接する電極を含む電極部、および前記チャネルの上部の一部を覆うチャネルカバーを含み、前記メンブレンの一部が前記チャネルカバーの一部を覆うようにすることを特徴とする血液分析装置を提供する。
【００３０】
以下では、添付図面を参照して本発明が属する技術分野における通常の知識を有した者が本発明を容易に実施することができるように好ましい実施形態を詳しく説明する。但し、これらの実施形態は本発明をより具体的に説明するためのものであって、本発明の範囲がこれらの実施形態によって制限されないことは当業界における通常の知識を有する者に明らかである。
【００３１】
本発明が解決しようとする課題の解決案を明らかにするための発明の構成を本発明の好ましい実施形態に基づいて添付図面を参照して詳しく説明するが、図面の構成要素に参照番号を付するにおいて、同一の構成要素に対しては他の図面上に示す時にも同一の参照番号を付し、当該図面に関して説明する際、必要な場合、他の図面の構成要素を引用できることを予め明らかにする。さらに、本発明の好ましい実施形態の動作原理を詳しく説明するにおいて、本発明と関連した公知の機能あるいは構成に関する具体的な説明、そしてそれ以外の諸事項が本発明の要旨を不要に濁す恐れがあると判断される場合には、その詳細な説明は省略する。
【００３２】
さらに、明細書の全体にわたって、ある部分が他の部分と「連結」されているとする時、これは、「直接的に連結」されている場合だけでなく、その間に他の素子を介在させて「間接的に連結」されている場合も含む。本明細書において、単数型は、特に言及しない限り、複数型も含む。明細書で用いられる「含む（ｃｏｍｐｒｉｓｅｓ）」または「含む（ｃｏｍｐｒｉｓｉｎｇ）」は、言及された構成要素、ステップ、動作、または素子の他に、一つ以上の他の構成要素、ステップ、動作、または素子の存在または追加を排除するものではない。
【００３３】
第１、第２などは様々な素子、構成要素および／またはセクションを叙述するために用いられるが、これらの素子、構成要素および／またはセクションはこれらの用語によって制限されないことは勿論である。これらの用語は、単に一つの素子、構成要素またはセクションを他の素子、構成要素またはセクションと区別するために用いられるものである。よって、以下にて言及される第１素子、第１構成要素または第１セクションは、本発明の技術的思想内で第２素子、第２構成要素または第２セクションであってもよいことは勿論である。
【００３４】
ある素子（ｅｌｅｍｅｎｔｓ）または層が他の素子または層の「上（ｏｎ）」にあると言及される場合には、他の素子または層の真上だけでなく、その間にまた他の層またはまた他の素子を介在した場合を全て含む。その反面、素子が「直接に上（ｄｉｒｅｃｔｌｙ  ｏｎ）」または「真上」にあると言及される場合には、その間にまた他の素子またはまた他の層を介在しないことを示す。空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示されているように、一つの素子または構成要素と他の素子または構成要素との相関関係を容易に記述するために用いられる。空間的に相対的な用語は、図面に示されている方向に加えて、使用時または動作時の素子の互いに異なる方向を含む用語として理解しなければならない。例えば、図面に示されている素子を逆様にする場合、他の素子の「下（ｂｅｌｏｗまたはｂｅｎｅａｔｈ）」に記述された素子は、他の素子の「上（ａｂｏｖｅ）」に置かれる。したがって、例示的な用語である「下」は、下と上の方向をいずれも含むことができる。素子は他の方向に配向されることができ、この場合、空間的に相対的な用語は配向に応じて解釈される。
【００３５】
本明細書で用いられた用語は、実施形態を説明するためのものであって、本発明を制限しようとするものではない。本明細書において、単数型は、特に言及しない限り、複数型も含む。明細書で用いられる「含む（ｃｏｍｐｒｉｓｅｓ）」および／または「含む（ｃｏｍｐｒｉｓｉｎｇ）」は、言及された構成要素の他に、一つ以上の他の構成要素の存在または追加を排除するものではない。明細書の全体にわたって、同一の参照符号は同一の構成要素を示す。
【００３６】
特に定義しない限り、本明細書で用いられる全ての用語（技術および科学的な用語を含む）は、本発明が属する技術分野における通常の知識を有する者に共通に理解できる意味として用いられることができるであろう。また、一般的に用いられる辞典に定義されている用語は、特に定義されていない限り、理想的にまたは過度に解釈されない。
【００３７】
図１は、本発明の好ましい一実施形態による血液分析装置の構成図である。
【００３８】
図１を参照すれば、本実施形態による血液分析装置は、血液注入部１００、血漿分離部１１０、血漿誘導部１２０、および信号分析部１３０で構成される。
【００３９】
血液注入部１００は、血液の注入を受けて血漿分離部１００のメンブレンに供給する。血液注入部１００は、血漿分離部１１０に血液を定量注入するように構成されることが好ましい。
【００４０】
血漿分離部１１０は、血液注入部１００から供給を受けた血液から血球を濾過し血漿を通過させる。血漿を血液から分離するために別途の動力を使わないことが好ましい。
【００４１】
血漿誘導部１２０は、チャネルに入ってきた血漿の特性（例えば、粘度）がサンプルごとに異なるため、定められた時間内に血漿がチャネル内で流れて電極に接するように誘導する。このために、本発明の一実施形態によれば、血漿誘導用電極を含んでおり、チャネル内の血漿を能動的に移動させる。
【００４２】
信号分析部１３０は、電極に接した血漿により発生した電気信号を測定および分析し、分析結果をディスプレイする。信号分析部１３０が信号から分析した結果は、グルコース含量、コレステロール含量、癌危険度などを含むことができる。また、信号分析部１３０は、血液注入部１００、血漿分離部１１０、または血漿誘導部１２０の動作を制御する信号を生成して、血液注入部１００、血漿分離部１１０、または血漿誘導部１２０に送信することができる。
【００４３】
図２は、本発明の好ましい一実施形態による血漿分離部１１０と血漿誘導部１２０の細部構成を示すものであり、図３は、本発明の好ましい他の実施形態による血漿分離部１１０と血漿誘導部１２０の細部構成を示すものである。
【００４４】
図２と図３を参照すれば、本実施形態による血漿分離部１１０は、注入ホールカバー１１１、チャネルカバー１１２、およびメンブレン１１３で構成され、血漿誘導部１２０は、チャネル１１４、電極部１１５、およびピラー１１８を含んで構成される。電極部１１５は、機器認識部１１６、および反応部１１７で構成される。
【００４５】
図２に示された実施形態は、メンブレン１１３を通過した血漿がチャネル１１４を流れる時、電極部１１５の位置がチャネル１１４の下側に位置する場合であり、図３に示された実施形態は、電極部１１５の位置がチャネル１１４の上側に位置する場合である。
【００４６】
注入ホールカバー１１１は、血液が投入される注入ホールが形成されたカバーである。注入ホールカバー１１１は、注入ホールを除いた残りの領域に血液が流れるのを防止する。注入ホールを通して流入された血液から分離した血漿がチャネル方向に移動することができるように、注入ホールカバー１１１は、チャネルカバー１１２、メンブレン１１３、チャネル１１４、または電極部１１５の外部を塞ぐ。
【００４７】
チャネルカバー１１２は、チャネル１１４の上面に付着するか（図２）、またはチャネルの下面に付着して（図３）、血漿が電極部１１５に流れるように誘導する。チャネルカバー１１２がチャネル１１４の上部に位置した場合、電極部１１５はチャネル１１４の下部に位置し、チャネルカバー１１２がチャネル１１４の下部に位置した場合、電極部１１５はチャネル１１４の下部に位置することができる。
【００４８】
メンブレン１１３は、血液（全血）から血球を分離して血漿をチャネル１１４に供給する。メンブレン１１３については、図４を参照してより詳しく説明することにする。
【００４９】
図４は、本発明の一実施形態によるメンブレン１１３を拡大して示すものである。
【００５０】
メンブレン１１３は不均一な大きさの孔隙で構成され、全血が入ってくるメンブレン部分の孔隙の大きさよりチャネル１１４に接しているメンブレン部分の孔隙大きさが小さいことが好ましい。一例として、メンブレン１１３の上部から下部に行くほど孔隙が小さくなる。メンブレンの上部孔隙の大きさは血球が通過できない大きさであり、大きさの大きい血球はメンブレンを通過することができない。メンブレン１１３を六面体形態とすれば、全血をメンブレンの上面に投入し、血漿は上面を除いた５面に流れ出る。他の実施形態として、メンブレンの４個の壁面は血漿が通過できないように孔隙を形成しないかまたは血漿が通過できない程度の小さい孔隙を形成する一方、上部から下部に行くほど孔隙が小さくなるようにすることによって、血漿がメンブレンの下面にのみ流れ出るようにすることができる。この場合、メンブレンの４個の壁面の孔隙は、メンブレン１１３において最も小さく形成されることが好ましい。
【００５１】
また他の実施形態として、図２を参照すれば、チャネルカバー１１２と隣接したメンブレン１１３の面に孔隙を形成しないかまたは血漿が通過できない程度にメンブレン１１３において最も小さく形成されるようにすることができる。
【００５２】
図３を参照すれば、電極部１１５と隣接したメンブレン１１３の面に孔隙を形成しないかまたは血漿が通過できない程度にメンブレン１１３において最も小さく形成されるようにすることができる。
【００５３】
メンブレン１１３が電極部１１５またはチャネルカバー１１２のうちいずれか一つと接している場合、メンブレン１１３の上部の一部が電極部１１５またはチャネルカバー１１２の上部を覆うようにすることが好ましい。この場合、メンブレン１１３を通過する血漿がメンブレン１１３と電極部１１５またはメンブレン１１３とチャネルカバー１１２との間の空間に漏れないようにするという効果がある。
【００５４】
また、図２に示すように、メンブレン１１３がチャネルカバー１１２と接する面の下部にキャビティを形成して、メンブレン１１３を通過する血漿がチャネルカバー１１２とチャネル１１４との間に流れないようにすることができる。図３においては、メンブレン１１３が電極部１１５と接する面の下部にキャビティを形成して、メンブレン１１３を通過した血漿が電極部１１５とチャネル１１４との間に漏れないようにすることができる。
【００５５】
チャネル１１４は、メンブレン１１３が分離した血漿が流れる通路である。
【００５６】
チャネル１１４を流れる血漿は、電極部１１５の反応部１１７に移動する。チャネルの端部はオープンしているため、チャネル１１４内の血漿は毛細管現象を利用して別途の動力なしに流れることができる。
【００５７】
電極部１１５は、電気化学信号を信号分析部１３０に伝達し、チャネル１１４の一面に接して、チャネル１１５を流れる血漿が接する電極を含む。
【００５８】
電極部１１５は、機器認識部１１６、および反応部１１７で構成される。機器認識部１１６は、本発明に係る血液分析装置が外部認識装置のスロットに嵌められる時、スロットに本発明に係る血液分析装置が連結されたのを前記外部認識装置が確認できるようにする。
【００５９】
反応部１１７は、分析しようとする物質に応じて必要なタンパク質／核酸などがコーティングされている。例えば、グルコース（Ｇｌｕｃｏｓｅ）を分析しようとする場合には、ＧＯｘ、ＧＤＨなどのようにグルコースを用いる酸化酵素系を酵素コーティングし、疾病関連抗原を分析しようとする場合には、関連抗体やａｐｔａｍｅｒをコーティングすることができる。
【００６０】
一方、電極部１１５は、機器認識部１１６と反応部１１７を除いた領域を絶縁体でコーティングすることができる。電極部１１５を構成する電極は、２電極または３電極に製作が可能である。
【００６１】
電極部１１５は、作用電極（ＷＥ、ｗｏｒｋｉｎｇ  ｅｌｅｃｔｏｄｅ）と対電極（ＣＥ、ｃｏｕｎｔｅｒ  ｅｌｅｃｔｒｏｄｅ）とを含んで構成されることができる。チャネルを流れる血漿が作用電極と対電極の全てに接してこそ、分析に必要な血漿が十分にチャネルに流入されたと見ることができる。
【００６２】
ピラー１１８は、メンブレン１１３とチャネル１１４の下部面との間を連結し、ピラー１１８がメンブレン１１３に接する部分を一定高さだけ押し上げることができる。表面張力のために血漿がメンブレン１１３を容易に通過し難いが、ピラー１１８がメンブレンとチャネル１１４の下部を連結し、ピラー１１８の端部がメンブレン１１３を一定高さ押し上げて表面張力を減らすことができる。
【００６３】
図５は、本発明の好ましい一実施形態による固定型血液注入部１００の細部構成を示すものである。
【００６４】
図５を参照すれば、本実施形態による血液注入部１００は、毛細管部５００、および毛細管ホルダー５１０で構成される。
【００６５】
毛細管部５００は注入された血液をメンブレン１１３に供給し、毛細管ホルダー５１０は毛細管部５００をメンブレン１１３に誘導する。
【００６６】
図５（ａ）は、血液が毛細管部５００に供給される前、毛細管部５００が毛細管ホルダー５１０により支持されてメンブレン１１３と接触している状態である。
【００６７】
図５（ｂ）において、血液が毛細管部５００に供給されれば、血液が毛細管部５００の下方向に移動する。
【００６８】
図５（ｃ）において、毛細管部５００が血液で完全に満たされれば、毛細管部５００の出口から血液が出てメンブレン１１３に血液が吸収され始める。
【００６９】
図５（ｄ）において、メンブレン１１３に血液が吸収されて色が変われば、血液の追加投入を中止する。
【００７０】
図５（ｅ）において、メンブレン１１３に十分な量の血液が吸収されれば、メンブレン１１３への血液供給は自動的に中止される。
【００７１】
図５（ｅ）において血液供給が自動中止されるのは、図４に示されたメンブレン１１３のように上部の孔隙において血球が濾過され、時間の経過とともに上部の孔隙は全て詰まるようになるためである。したがって、メンブレン１１３への血液供給後に一定時間が過ぎれば、血液がメンブレン１１３へ吸収されなくなる。よって、メンブレン１１３の上部孔隙の個数、大きさ、密度などに応じて、メンブレン１１３に供給される血液の量を調節できるようになる。
【００７２】
図６は、本発明の好ましい他の実施形態による固定型血液注入部１００の細部構成を示すものである。
【００７３】
図５に示された固定型血液注入部１００においては、毛細管部５００をメンブレン１１３に接するようにした後に血液を毛細管部５００に供給するのに対し、図６に示された固定型血液注入部１００においては、毛細管部５００を血液で満たした後にメンブレン１１３に毛細管部５００を接するようにするという差がある。
【００７４】
図６での毛細管部５００に注入された血液の量は、メンブレン１１３に吸収される最大の血液量を予め計算して定められる。よって、図５（ｄ）のようにメンブレン１１３の色が変わるのを確認して血液注入を中止する必要がない。毛細管部５００に注入される血液の量は、メンブレン１１３の上部孔隙の個数、大きさ、密度などに応じて調節できる。
【００７５】
図７は、本発明の好ましいまた他の実施形態による回転型血液注入部１００の細部構成を示すものである。
【００７６】
図７を参照すれば、本実施形態による血液注入部１００は、毛細管部５００、毛細管ホルダー５１０、および回転部５２０で構成される。
【００７７】
毛細管部５００は注入された血液をメンブレンに供給し、毛細管ホルダー５１０は毛細管部５００をメンブレンに誘導する。
【００７８】
回転部５２０は、毛細管部５００と結合され、毛細管部５００を回転させて毛細管ホルダー５１０の上に毛細管部５００を位置させる。回転部５２０は、毛細管部５００を毛細管ホルダー５１０方向に移動させ、毛細管部５００が注入ホールを通過してメンブレン１１３と接するようにする。
【００７９】
図８は、図７に示された回転型血液注入部１００を用いてメンブレン１１３に血液を供給する過程を示すものである。
【００８０】
図８（ａ）は、回転型血液注入部１００の毛細管部５００に血液を注入するのを示すものである。図８（ｂ）は、血液が注入された毛細管部５００が回転部５２０により９０度回転して毛細管ホルダー５１０の上部に位置したのを示すものである。図８（ｃ）は、回転部５２０に結合されている毛細管部５００が注入ホールを通過して毛細管ホルダー５１０に誘導されるのを示すものである。
【００８１】
図８において、毛細管部５００に注入された血液の量は、メンブレン１１３に吸収される最大の血液量を予め計算して定められることが好ましい。
【００８２】
図９は、毛細管ホルダー５１０がメンブレン１１３の上部面と４５度傾いている状態を示すものである。
【００８３】
図９（ａ）は、毛細管ホルダー５１０に毛細管部５００が４５度方向に挿入されるのを示すものであり、図９（ｂ）は、回転部５２０と結合された毛細管部５００が４５度回転後、毛細管ホルダー５１０に挿入されるのを示すものである。図９（ｃ）は、毛細管部５００が４５度方向に毛細管ホルダー５１０に挿入される場合、メンブレン１１３との接触面を広くするために毛細管の底面を斜線でカットしたのを示すものである。
【００８４】
血液が注入される毛細管部５００の幅と長さが変われば、毛細管部５００に注入できる血液の量が変わるため、毛細管部５００の幅と長さを利用して、メンブレン１１３０に注入する血液の量を定量化することができる。一方、毛細管の材質としては、ガラス、プラスチック、金属などが可能である。図８〜図９を参照すれば、毛細管ホルダー５１０がメンブレン１１３となす角度が０度から９０度の間になることができる。
【００８５】
図１０は、毛細管部５００なしに毛細管ホルダー５１０の内部を親水コーティングして血液を注入する血液注入部１００を示すものである。
【００８６】
図１０を参照すれば、毛細管ホルダー５１０の内部を親水コーティングすることによって、毛細管ホルダー５１０の内部に注入された血液をメンブレン１１３に誘導する。
【００８７】
この時、図１０（ａ）は、毛細管ホルダー５１０の内部への血液供給方向とメンブレン上部面がなす角度が０度（または１８０度）の場合であり、図１０（ｂ）は、毛細管ホルダー５１０の内部への血液供給方向とメンブレン上部面がなす角度が９０度（または-９０度）の場合である。
【００８８】
図１１は、本発明の好ましい一実施形態による電極部１１５に含まれた検出電極（ＤＥ１、ＤＣＥ、ＷＥ、ＣＥ、ＤＥ２）を示すものである。
【００８９】
図１１（ａ）と図１１（ｂ）は、本発明の好ましい一実施形態による血液分析装置の断面図と平面図であり、図１１（ｃ）と図１１（ｄ）は、本発明の好ましい他の実施形態による血液分析装置の断面図と平面図である。
【００９０】
メンブレン１１３を通過した血漿は、血液の状態に応じて、血漿の総量、粘度などの偏差が大きい。よって、血漿が分離されるのに必要な時間が異なるため、血漿の注入程度を確認する検出方法が必要である。
【００９１】
図１１（ａ）と図１１（ｂ）を参照すれば、メンブレン１１３を通過した血漿が第１検出電極（ＤＥ１、ｄｅｔｅｃｔｉｎｇ  ｅｌｅｃｔｒｏｄｅ）と検出用対電極（ＤＣＥ、ｄｅｔｅｃｔｉｎｇ  ｃｏｕｎｔｅｒ  ｅｌｅｃｔｒｏｄｅ）に接すれば、血漿がチャネルに注入され始めたことを検出するようになる。この時、ＤＥ１とＤＣＥの位置は、メンブレン１１３の下部に位置してもよく、電極部１１５の上端に位置してもよい。
【００９２】
血漿が第１検出電極（ＤＥ１）と検出用対電極（ＤＣＥ）を経てチャネルを流れれば、一定時間後に作用電極（ＷＥ、ｗｏｒｋｉｎｇ  ｅｌｅｃｔｒｏｄｅ）と対電極（ＣＥ、ｃｏｕｎｔｅｒ  ｅｌｅｃｔｒｏｄ）に到達するようになる。作用電極と対電極に血漿が到達し、第２検出電極（ＤＥ２）に血漿が接すれば、チャネルに血漿注入が完了したことを検出することができる。
【００９３】
第２検出電極（ＤＥ２）、作用電極（ＷＥ）、および対電極（ＣＥ）は、チャネル１１４の一端に位置してチャネル１１４を流れる血漿が到達することが好ましい。
【００９４】
他の実施形態として、図１１（ｃ）と図１１（ｄ）を参照すれば、メンブレン１１３を通過した血漿が第１検出電極（ＤＥ１）と検出用対電極（ＤＣＥ、ｄｅｔｅｃｔｉｎｇ  ｃｏｕｎｔｅｒ  ｅｌｅｃｔｒｏｄｅ）に接すれば、血漿がチャネルに注入され始めたことを検出するようになる。この時、ＤＥ１とＤＣＥの位置は、メンブレン１１３の下部に位置してもよく、チャネルカバー１１２の上端に位置してもよい。
【００９５】
血漿が第１検出電極（ＤＥ１）と検出用対電極（ＤＣＥ）を経てチャネルを流れれば、一定時間後に作用電極（ＷＥ）と対電極（ＣＥ）に到達するようになる。作用電極と対電極に血漿が到達し、第２検出電極（ＤＥ２）に血漿が接すれば、チャネルに血漿注入が完了したことを検出することができる。第２検出電極（ＤＥ２）、作用電極（ＷＥ）、および対電極（ＣＥ）は、チャネル１１４の一端に位置してチャネル１１４を流れる血漿が到達することが好ましい。
【００９６】
図１２は、本発明の好ましい一実施形態による血漿誘導部１２０に含まれた血漿移動用電極（ＰＴＥ）を図１１にさらに示すものである。
【００９７】
図１２（ａ）を参照すれば、血漿誘導部１２０は、チャネルカバー１１２の下に血漿移動用電極（ＰＴＥ、ｐｌａｓｍａ  ｔｒａｎｓｐｏｒｔｉｎｇ  ｅｌｅｃｔｒｏｄｅ）とＰＴＥに接する絶縁体とを含んで構成される。また、図１２（ａ）においては、ＰＴＥがチャネルカバー１１２の下に配置されるか、またはチャネル１１４の下にＰＴＥが配置されてもよい。
【００９８】
一方、図１２（ｂ）においては、ＰＴＥがチャネルカバー１１２の上部に配置され、ＰＴＥの上には絶縁体が配置される。
【００９９】
図１３は、図１２に示されたＰＴＥの一部（Ａ）を拡大して示すものである。
【０１００】
図１３を参照すれば、ＰＴＥは、複数の電極で構成され、血漿移動方向に並んで配置されている状態である。ＰＴＥは、一つの電極で構成されても血漿を移動させることができる。
【０１０１】
ＰＴＥは、ｅｌｅｃｔｒｏ−ｗｅｔｔｉｎｇ方式で血漿を電極のある方向に移動できる電極である。
【０１０２】
ｅｌｅｃｔｒｏ−ｗｅｔｔｉｎｇは、絶縁体を間に置いて電極と極性液体（ｐｏｌａｒ  ｌｉｑｕｉｄ）を位置させた場合、電極に電圧を印加すれば、極性液体の表面張力が変わる現象をいう。ｅｌｅｃｔｒｏ−ｗｅｔｔｉｎｇを利用すれば、電圧が印加される電極に沿って極性液体が動く現象を示す。
【０１０３】
再び図１２を参照すれば、ＤＥ１に血漿が到達して信号を発生させた後、一定時間の経過後にＤＥ２が信号を発生させなかった場合、チャネル１１４内の血漿を強制的に移動させるためにＰＴＥを用いることができる。
【０１０４】
図１３に示すように電極番号を左側から右側に１、２、３．．．に番号を付ける場合、電圧を印加する電極を１、２番→２、３番→３、４番に電極をｏｎ／ｏｆｆして絶縁体の下にあるチャネルを流れる血漿を電極に移動させることができる。
【０１０５】
図１４は、本発明の好ましい他の実施形態による血漿誘導部１２０に含まれた血漿移動用電極（ＰＴＥ）を図１１にさらに示すものである。
【０１０６】
図１２においては、ＰＴＥの位置がチャネルカバー１１２の上（図１２（ｂ））または下（図１２（ａ））に配置されて垂直的（ｖｅｒｔｉｃａｌ）に配置されたとすれば、図１４においては、ＰＴＥの位置がチャネル１１４の壁面に配置されて水平的（ｈｏｒｉｚｏｎｔａｌ）に配置された状態を示すものである。この時、絶縁体は、チャネル１１４とＰＴＥとの間に位置することが好ましい。
【０１０７】
ＰＴＥがチャネル１１４の壁面に配置されて水平的（ｈｏｒｉｚｏｎｔａｌ）に配置されれば、図１２に示された垂直的なＰＴＥ配置に比べて、ＰＴＥ電極が占める垂直空間だけ大きさが減る。さらに、ＰＴＥがチャネル１１４の壁面に配置されるため、図１２のような積層構造の形態より他の電極への電場の影響を減らすことができる。
【０１０８】
図１５は、本発明の好ましい一実施形態による血液分析方法のフローチャートである。
【０１０９】
図１５を参照すれば、本実施形態による血液分析方法は、図１〜図１４に示された血液分析装置において時系列的に処理されるステップで構成される。よって、以下で省略された内容であっても図１〜図１４に示された血液分析装置について以上で記述された内容は、本実施形態による血液分析方法にも適用される。
【０１１０】
１５００ステップにおいて、血液分析装置は、血液分析装置が含む内部電極が定められた位置にあるか否かを判断する。前記内部電極は、第１検出電極（ＤＥ１）、検出用対電極（ＤＣＥ）、第２検出電極（ＤＥ２）、作用電極（ＷＥ）、対電極（ＣＥ）、および血漿移動用電極（ＰＴＥ）を含む。特に、機器認識部１１６は、本発明に係る血液分析装置が外部認識装置のスロットに嵌められる時、前記スロットに本発明に係る血液分析装置が連結されたことを確認できるようにすることによって、作用電極（ＷＥ）と対電極（ＣＥ）が定められた位置にあるか否かを確認することができる。
【０１１１】
１５００ステップにおいて、内部電極が定められた位置にないと判断した場合には１５１０ステップに進行し、内部電極が定められた位置にあると判断した場合には１５２０ステップに進行する。
【０１１２】
１５１０ステップにおいて、血液分析装置のディスプレイ装置に内部電極を再挿入することを表示する。内部電極が再挿入されれば、全ての内部電極が定められた位置にあるか否かを１５００ステップにおいて再び判断する。
【０１１３】
１５２０ステップにおいて、血液分析装置は、血液が注入された後、第１検出電極（ＤＥ１）と検出用対電極（ＤＣＥ）が電気的に連結されたか否かを判断する。第１検出電極（ＤＥ１）と検出用対電極（ＤＣＥ）が電気的に連結されれば、血漿が第１検出電極（ＤＥ１）に到達したかを検出し、これはメンブレンに血液が十分に供給されたことを意味する。
【０１１４】
一方、第１検出電極（ＤＥ１）と検出用対電極（ＤＣＥ）が電気的に連結されていない場合には、血液を追加注入することを案内する１５３０ステップに進行し、第１検出電極（ＤＥ１）と検出用対電極（ＤＣＥ）が電気的に連結された場合には、１５４０ステップに進行する。
【０１１５】
１５４０ステップにおいて、血液分析装置は、メンブレンを通過した血漿がチャネルを流れて第２検出電極（ＤＥ２）に到達する一定時間の間、血漿の注入中というメッセージをディスプレイ装置を介して表示する。
【０１１６】
１５５０ステップにおいて、血液分析装置は、前記一定時間の間に待機する。前記一定時間は、血漿の移動速度およびチャネルの長さに応じて異なる。
【０１１７】
１５６０ステップにおいて、血液分析装置は、前記一定時間後、第２検出電極（ＤＥ２）とＤＣＥが電気的に連結されたか否かを判断する。
【０１１８】
第２検出電極（ＤＥ２）とＤＣＥが電気的に連結されれば、第１検出電極（ＤＥ１）に血漿が到達し、一定時間が経過した後、第２検出電極に到達したことを検出するようになり、チャネルを流れる血漿がチャネルの一端に位置した作用電極（ＷＥ）にも到達して血漿の電気化学的信号を測定できるようになったことを意味する。
【０１１９】
１５６０ステップにおいて、前記一定時間後、第２検出電極（ＤＥ２）とＤＣＥが電気的に連結された場合、１５８０ステップを経ず、１５９０ステップに進行することが好ましい。
【０１２０】
しかし、前記一定時間後にも第２検出電極（ＤＥ２）とＤＣＥが電気的に連結されていない場合には、１５７０ステップに進行して、血漿移動用電極を動作させて血漿を移動させる。血漿移動用電極は、チャネルの上、下、左、右のうち少なくともいずれか一つに位置することが好ましい。再び図１２を参照すれば、チャネル１１４の上と下に血漿移動用電極が位置し、図１４を参照すれば、チャネル１１４の左側と右側に血漿移動用電極が位置している。
【０１２１】
１５８０ステップにおいて、血液分析装置は、１５７０ステップにおいて動作させた血漿移動用電極の動作を中止させる。
【０１２２】
１５９０ステップにおいて、血液分析装置は、作用電極（ＷＥ）に到達した血漿の電気化学信号を測定する。
【０１２３】
以上のように、本発明は具体的な構成要素などのような特定事項と限定された実施形態および図面によって説明されたが、これは本発明のより全般的な理解を助けるために提供されたものに過ぎず、本発明は前記実施形態に限定されるものではなく、本発明が属する技術分野における通常の知識を有した者であれば、このような記載から様々な修正および変形が可能である。
【０１２４】
したがって、本発明の思想は説明された実施形態に限定して定められてはならず、後述する特許請求の範囲だけでなく、この特許請求の範囲と均等または等価的な変形がある全てのものは本発明の思想の範疇に属すると言える。
【図１】
2021519939.tif 000003
【図２】
2021519939.tif 000004
【図３】
2021519939.tif 000005
【図４】
2021519939.tif 000006
【図５】
2021519939.tif 000007
【図６】
2021519939.tif 000008
【図７】
2021519939.tif 000009
【図８】
2021519939.tif 000010
【図９】
2021519939.tif 000011
【図１０】
2021519939.tif 000012
【図１１】
2021519939.tif 000013
【図１２】
2021519939.tif 000014
【図１３】
2021519939.tif 000015
【図１４】
2021519939.tif 000016
【図１５】
2021519939.tif 000017
【国際調査報告】
2021519939.tif 000018
2021519939.tif 000019
2021519939.tif 000020
2021519939.tif 000021